(57)【要約】      （修正有）【課題】ウェブコンテンツを表示する際の要素の大きさを要素ごとに定める。【解決手段】制御部１３は、拡大縮小率と座標を取得し、情報処理部１４に与える。情報処理部１４は、座標の位置に表示されている要素を特定し、情報記憶部１２に含まれるパラメータ記憶部における該当のレコードの表示倍率に拡大縮小率を乗じて更新する。そして、指定終了が指示されたなら、情報処理部１４は、ウェブコンテンツの各要素について、パラメータ記憶部における該当レコードから表示倍率を読み出し、要素が表示倍率に応じた大きさで表示されるようにウェブコンテンツをレンダリングし、情報出力部１６（表示装置）に出力し、処理を終える。【選択図】図１
2015106397.tif 000002
【特許請求の範囲】
【請求項１】
ウェブコンテンツ内の要素ごとに表示倍率を含むレコードが記憶されるパラメータ記憶部と、
表示された前記ウェブコンテンツの要素の位置として指し示された位置の座標と当該要素に用いる拡大縮小率を取得する制御部と、
当該座標に基づいて当該要素を特定し、前記パラメータ記憶部における当該要素のレコードの表示倍率に当該拡大縮小率を乗じて更新し、前記ウェブコンテンツの各要素について、前記パラメータ記憶部における該当レコードから表示倍率を読み出し、当該要素を当該表示倍率に応じた大きさで表示させる情報処理部と
を備えることを特徴とするウェブコンテンツ表示装置。
【請求項２】
予め定められた拡大縮小禁止情報と当該拡大縮小禁止情報を適用する要素の指定が行われた場合は、当該要素については、ウェブコンテンツ全体の拡大縮小率による拡大縮小を禁止する
ことを特徴とする請求項１記載のウェブコンテンツ表示装置。
【請求項３】
前記パラメータ記憶部の内容を示す表示倍率記録ファイルが記憶される表示倍率記録ファイル記憶部を備え、
前記情報処理部は、
表示すべきウェブコンテンツ内の各要素について、前記表示倍率記録ファイル記憶部の表示倍率記録ファイルから表示倍率を読み出し、当該要素を当該表示倍率に応じた大きさで表示させる
ことを特徴とする請求項１または２記載のウェブコンテンツ表示装置。
【請求項４】
前記パラメータ記憶部の内容を示す表示倍率記録ファイルが、前記ウェブコンテンツのＵＲＬに対応づけて記憶される表示倍率記録ファイル記憶部を備え、
前記情報処理部は、
表示すべきウェブコンテンツ内の各要素について、前記表示倍率記録ファイル記憶部の、当該ウェブコンテンツのＵＲＬと同じＵＲＬに対応づけられた表示倍率記録ファイルから表示倍率を読み出し、当該要素を当該表示倍率に応じた大きさで表示させる
ことを特徴とする請求項１または２記載のウェブコンテンツ表示装置。
【請求項５】
ウェブコンテンツ表示装置の動作方法であって、
前記ウェブコンテンツ表示装置は、ウェブコンテンツ内の要素ごとに表示倍率を含むレコードが記憶されるパラメータ記憶部を備え、
前記動作方法は、
前記ウェブコンテンツ表示装置の制御部が、表示された前記ウェブコンテンツの要素の位置として指し示された位置の座標と当該要素に用いる拡大縮小率を取得し、
前記ウェブコンテンツ表示装置の情報処理部が、当該座標に基づいて当該要素を特定し、前記パラメータ記憶部における当該要素のレコードの表示倍率に当該拡大縮小率を乗じて更新し、前記ウェブコンテンツの各要素について、前記パラメータ記憶部における該当レコードから表示倍率を読み出し、当該要素を当該表示倍率に応じた大きさで表示させる
ることを特徴とするウェブコンテンツ表示装置の動作方法。
【請求項６】
請求項１ないし４のいずれかに記載のウェブコンテンツ表示装置としてコンピュータを機能させるためのコンピュータプログラム。
【発明の詳細な説明】
【技術分野】
【０００１】
本発明は、ウェブコンテンツ表示装置、ウェブコンテンツ表示装置の動作方法およびコンピュータプログラムに関するものである。
【背景技術】
【０００２】
インターネットの普及により、様々な情報がウェブを介して得られるようになっている。そのため、高齢者や障がい者を含め、多くの人がアクセスできるウェブサイトが求められている。つまり、ウェブサイトにアクセスできるウェブサイトのデザイン、つまり、ウェブアクセシビリティが求められている。代表的な問題として文字の大きさがある。文字が小さすぎると、高齢者、弱視者をはじめ、文字が読みづらいユーザがいる。文字が拡大できることはウェブアクセシビリティの大きな要件となっている。
【０００３】
従来のＰＣ用のブラウザでは拡大縮小の方法に二通りある。一つ目は、画面全体を拡大縮小する方法である。これによると、画面全体がレイアウトを維持したまま拡大することができる。すなわち、見出しと本文との大きさの比率を保ったまま拡大する。一般に、拡大率は２００％以上などと大きく変更することができるが、拡大してしまうと文字が見やすくなる代わりに、全体の把握が難しくなる。二つ目の方法は、テキストだけを拡大縮小する方法である。スマートホンやタブレット端末では、一つ目の方法で拡大縮小し、テキストのみの拡大縮小はできないことが多い。
【０００４】
スマートホンやタブレット端末では、拡大の操作をピンチアウトと呼ばれるジェスチャで行うことができる。すなわち、二本の指をディスプレイに触れてから、指の間隔を広げるように動かすジェスチャである。これにより、二本の指の触れている二点の中心点を中心に拡大することができる。また、縮小の操作はピンチインと呼ばれるジェスチャで可能である。すなわち、二本の指をディスプレイに触れてから、指の間隔を狭めるように動かすジェスチャである。これにより、二本の指の触れている二点の中心点を中心に縮小することができる。このように、スマートホンやタブレット端末のジェスチャ操作の大きな特長は、拡大縮小の中心点を指定できることにある。
【０００５】
ウェブアクセシビリティはJIS X 8341-3などガイドライン化されており、さまざまな配慮の方法がまとめられている。このようなガイドラインにしたがった評価ツールも開発されている（特許文献１参照）。
【０００６】
携帯電話、スマートホンやタブレット端末などの携帯端末においては、ページの表示面積が限られているため、ＰＣ向けのウェブページとは別に、独自のレイアウトを持つウェブページを別に用意する場合がある。携帯端末は表示面積が小さいため情報を詰め込んでしまうと、文字が小さくなり見づらいページになりやすい。そこで、携帯端末向けに情報量を減らしたページを作成する場合が多い。例えばスマートホン向けのウェブページでは、横スクロールを設けると、表示している位置がわかりづらくなるため、横スクロール操作はさせず、縦スクロール操作のみ行わせるページデザインが一般的である。そのため、情報が多くなると縦長のページが作成されることになり、見たい情報にたどりつくまでに多くのスクロール操作が必要となり、見たい情報がすぐに探せないという課題が起きる。スクロール操作の際に見出しが識別できれば、見たい情報を探す手掛かりになる。しかし、スクロール操作により高速で移動するコンテンツの中で見出しを判別することは困難で、特にシニアユーザに対しては問題が大きいと考えられる。
【０００７】
一方、スマートホンやタブレット端末においては、指を使ったジェスチャによるコマンドの入力が可能になり、ピンチアウト、ピンチインのジェスチャを使って拡大縮小の操作が簡単に実現できるようになった。ＰＣでもマウスに付属するスクロールボタンを使って、拡大縮小を簡単に実現することができるが、拡大縮小の中心となる点は、画面の左上であることが多い。それに対して、スマートホンでは、拡大したい部分の中心点を同時に指定できるのが大きな特徴である。しかし、スマートホンでは、拡大縮小操作が容易であるが、拡大する対象は画面全体であり、一部分だけを拡大したい場合でも全ての部分が拡大されてしまうため、拡大した状態では、ページ全体の把握が難しいという問題がある。これにより、横スクロールが必要になる場合も多く、情報を得づらいという課題がある。
【先行技術文献】
【特許文献】
【０００８】
【特許文献１】特開２００９−２７７０３６号公報
【発明の概要】
【発明が解決しようとする課題】
【０００９】
本発明は、上記の課題に鑑みてなされたものであり、その目的とするところは、ウェブコンテンツを表示する際の要素の大きさを要素ごとに定める技術を提供することにある。
【課題を解決するための手段】
【００１０】
上記の課題を解決するために、第１の本発明は、ウェブコンテンツ内の要素ごとに表示倍率を含むレコードが記憶されるパラメータ記憶部と、表示された前記ウェブコンテンツの要素の位置として指し示された位置の座標と当該要素に用いる拡大縮小率を取得する制御部と、当該座標に基づいて当該要素を特定し、前記パラメータ記憶部における当該要素のレコードの表示倍率に当該拡大縮小率を乗じて更新し、前記ウェブコンテンツの各要素について、前記パラメータ記憶部における該当レコードから表示倍率を読み出し、当該要素を当該表示倍率に応じた大きさで表示させる情報処理部とを備えることを特徴とするウェブコンテンツ表示装置をもって解決手段とする。
【００１１】
第２の本発明は、ウェブコンテンツ表示装置の動作方法であって、前記ウェブコンテンツ表示装置は、ウェブコンテンツ内の要素ごとに表示倍率を含むレコードが記憶されるパラメータ記憶部を備え、前記動作方法は、前記ウェブコンテンツ表示装置の制御部が、表示された前記ウェブコンテンツの要素の位置として指し示された位置の座標と当該要素に用いる拡大縮小率を取得し、前記ウェブコンテンツ表示装置の情報処理部が、当該座標に基づいて当該要素を特定し、前記パラメータ記憶部における当該要素のレコードの表示倍率に当該拡大縮小率を乗じて更新し、前記ウェブコンテンツの各要素について、前記パラメータ記憶部における該当レコードから表示倍率を読み出し、当該要素を当該表示倍率に応じた大きさで表示させるることを特徴とするウェブコンテンツ表示装置の動作方法をもって解決手段とする。
【発明の効果】
【００１２】
本発明によれば、ウェブコンテンツを表示する際の要素の大きさを要素ごとに定めることができる。
【図面の簡単な説明】
【００１３】
【図１】第１の実施の形態に係るウェブコンテンツ表示装置の構成を示す図である。
【図２】第１の実施の形態におけるパラメータ記憶部の構成を示す図である。
【図３】第１の実施の形態においてウェブコンテンツを受信して最初に表示する際のフローチャートである。
【図４】ウェブコンテンツのＨＴＭＬ文書の例を示す図である。
【図５】ウェブコンテンツの階層構造の例を示す図である。
【図６】ウェブコンテンツの表示例（受信後の最初の表示例）である。
【図７】ウェブコンテンツを拡大表示または縮小表示する際のフローチャートである。
【図８】第１の実施の形態におけるパラメータ記憶部の更新後の一例を示す図である。
【図９】第１の実施の形態において特定の要素の拡大縮小率を８０％とした場合の表示例である。
【図１０】第１の実施の形態におけるパラメータ記憶部の更新後の別な例を示す図である。
【図１１】第１の実施の形態において特定の要素の拡大縮小率を１２０％とした場合の表示例である。
【図１２】第２の実施の形態における表示倍率記録ファイル記憶部の構成を示す図である。
【図１３】第２の実施の形態においてウェブコンテンツを受信して最初に表示する際のフローチャートである。
【発明を実施するための形態】
【００１４】
以下、本発明の実施の形態について図面を参照して説明する。
【００１５】
［第１の実施の形態］
図１に示すように、第１の実施の形態に係るウェブコンテンツ表示装置１は、通信ネットワークを介してウェブサーバ２に接続される。
【００１６】
ウェブコンテンツ表示装置１は、ブラウザなどと称されるソフトウェアにより、パーソナルコンピュータ（ＰＣ）や携帯端末（スマートフォンなど）に構成されるものである。
【００１７】
ウェブコンテンツ表示装置１は、受信部１１、情報蓄積部１２、制御部１３、情報処理部１４、情報入力部１５（キーボードやマウスなど）および情報出力部１６（表示装置など）を備える。
【００１８】
図２に示すように、情報蓄積部１２に含まれるパラメータ記憶部１２１には、ウェブコンテンツの要素毎のレコードが記憶される。各レコードは、該当の要素の種類を示す種類ＩＤ、該当の要素に付与される表示倍率、該当の要素の内容を含む。
【００１９】
図３に示すように、制御部１３は、ユーザにより情報入力部１５（キーボードなど）から、表示させたいウェブコンテンツのＵＲＬ（Universal Resource Locator）が入力されたか否かを判定する（Ｓ１）。
【００２０】
制御部１３は、入力がない場合はステップＳ１に戻る一方、入力があったなら、受信部１１にＵＲＬを与え、これにより、受信部１１は、ＵＲＬのウェブサーバ２に接続し、ＵＲＬのウェブコンテンツをウェブサーバ２から受信する（Ｓ３）。
【００２１】
図４に示すように、ウェブコンテンツは、ＨＴＭＬ（Hyper Text Markup Language）文書を含む。ＨＴＭＬ文書（ソースコード）では、例えば、タグ＜ｔｉｔｌｅ＞と＜／ｔｉｔｌｅ＞で要素「Ａポータル」を挟んでおり、これは、要素「Ａポータル」の種類が「タイトル（＜ｔｉｔｌｅ＞）」であることを示す。他の種類の要素も同様に記述される。
【００２２】
図３に戻り、制御部１３は、情報処理部１４にウェブコンテンツを与え、これにより、情報処理部１４は、ウェブコンテンツを解析する（Ｓ３）。
【００２３】
図５に示すように、ウェブコンテンツは、階層構造を有し、解析結果はこのような階層構造と各階層に含まれる要素を示すものとなる。
【００２４】
図３に戻り、制御部１３は、解析結果を情報蓄積部１２に記録する（Ｓ５）。
【００２５】
この際、パラメータ記憶部１２１には、図２に示すような情報が記憶される。
【００２６】
次に、制御部１３は、各要素につき、パラメータ記憶部１２１から表示倍率を読み出す（Ｓ７）。
【００２７】
次に、情報処理部１４は、ウェブコンテンツを表示倍率に基づいてレンダリングし、情報出力部１６（表示装置）に出力し（Ｓ９）、処理を終える。
【００２８】
図６に示すように、種類ＩＤ「ｈ１」に該当する要素「Ａポータル」が、該当の表示倍率「１５０％」に応じた大きさで表示される。
【００２９】
また、種類ＩＤ「ｈ２」に該当する要素「ニュース」、「天気」、「交通情報」が、該当の表示倍率「１２５％」に応じた大きさで表示される。
【００３０】
また、種類ＩＤ「ｐ」に該当する要素「昨日行われた…」、「東京の天気…」、「鉄道に遅れ…」が、該当の表示倍率「１００％」に応じた大きさで表示される。
【００３１】
ここで、最終的に表示される大きさは、所定の倍率と表示倍率の積に応じたものとなる。所定の倍率は、例えば、情報出力部１６の画面の大きさに依存し、携帯端末とＰＣでは異なる。
【００３２】
例えば、「昨日行われた…」の各文字が１２ピクセルで表示されるとすると、「Ａポータル」の各文字は、その１．５倍の１８ピクセルで表示される。
【００３３】
図７に示すように、ウェブコンテンツを拡大表示または縮小表示する場合は、別の動作となる。ここでは、拡大表示および縮小表示されていないウェブコンテンツが表示されていることとする。
【００３４】
図７に示すように、制御部１３は、ユーザにより情報入力部１５から、拡大縮小率および当該拡大縮小率を適用する要素の指定が行われたか否かを判定する（Ｓ１１）。拡大表示の際の拡大縮小率は、１００％より大きく、縮小表示の際の拡大縮小率は、１００％より小さい。
【００３５】
要素指定は、ユーザが、表示されたウェブコンテンツの要素の位置を指し示すことによりなされる。具体的には、要素が表示されている部分に指やマウスポインタを位置させることなどにより行われる。ここでは、指の触れている面積の中心座標やマウスポインタの先端の座標を「座標」という。
【００３６】
拡大縮小率は、座標に対応する要素に用いるもので、その指定は、キーボードからの入力や、マウスのスクロールホイールを動かす動作や、プルダウンメニューからの選択などにより行われる。
【００３７】
制御部１３は、指定がない場合はステップＳ１１に戻る一方、指定があったなら、拡大縮小率と座標を取得し、情報処理部１４に与える（Ｓ１３）。
【００３８】
情報処理部１４は、座標の位置に表示されている要素を特定する（Ｓ１５）。
【００３９】
ここで、情報処理部１４は、図４のようなＨＴＭＬ文書を解析することで、要素の位置を検出し、その位置と座標を照合し、座標の位置に表示されている要素を特定する。
【００４０】
次に、パラメータ記憶部１２１における該当のレコードの表示倍率に拡大縮小率を乗じて更新する（Ｓ１７）。
【００４１】
例えば、図２の要素「東京の天気は…」について、拡大縮小率「６０％」が指定されたなら、表示倍率「１００％」は、６０％（＝１００％×６０％）に更新される（図８）。
【００４２】
ステップＳ１１〜Ｓ１７は、例えば、ユーザにより指定終了が指示されるまで繰り返し行われる。
【００４３】
そして、指定終了が指示されたなら、情報処理部１４は、ウェブコンテンツの各要素について、パラメータ記憶部１２１における該当レコードから表示倍率を読み出し、要素が表示倍率に応じた大きさで表示されるようにウェブコンテンツをレンダリングし、情報出力部１６（表示装置）に出力し（Ｓ１９）、処理を終える。
【００４４】
また、図１０に示すように、要素「昨日行われた…」について、拡大縮小率「１２０％」が指定されたなら、表示倍率「１００％」は、１２０％（＝１００％×１２０％）に更新される。また、前述のように、要素「東京の天気は…」の表示倍率「１００％」は６０％に更新される。
【００４５】
図１１に示すように、要素「昨日行われた…」は、更新後の表示倍率「１２０％」に応じた大きさで表示される。
【００４６】
（変形例）
第１の実施の形態では、拡大縮小率と当該拡大縮小率を適用する要素の指定を行わないと、その要素については、元の表示倍率に応じた大きさで表示される。
【００４７】
しかし、ウェブコンテンツ全体の拡大縮小率（例えば、情報入力部１５（キーボードなど）から入力されるものであり、他に指による画面上でのピンチイン、ピンチアウトなどのジェスチャーや、マウスのスクロールホイールを動かす動作や、プルダウンメニューからの選択などにより入力してもよい。）を指定できる場合には、ウェブコンテンツ全体の拡大縮小され、拡大縮小前と大きさが変化してしまう。
【００４８】
これを防ぐべく、例えば、予め定められた拡大縮小禁止情報と当該拡大縮小禁止情報を適用する要素の指定を行い、当該要素については、ウェブコンテンツ全体の拡大縮小率による拡大縮小を禁止してもよい。
【００４９】
例えば、ユーザは、見出しの要素については拡大縮小禁止情報を指定する、これにより、ウェブコンテンツ全体が例えば縮小されても、当該見出しの要素は縮小されず、利便性が向上する。
【００５０】
本実施の形態のウェブコンテンツ表示装置によれば、指定された要素についてだけ、指定された拡大縮小率で更新された表示倍率に応じた大きさで表示されるので、一部の要素にだけ拡大縮小率を指定することにより、ページ全体の把握が容易になる。例えば、興味のない記事や読み終わった記事を縮小できれば、ページ全体の把握が容易になり、それ以外の部分が読みやすくなる。ユーザが読めない大きさにまで縮小することにより、それ以外の部分のみを選択的に読むことができる。
【００５１】
なお、後述の第２の実施の形態で使用する表示倍率記録ファイルの内容でパラメータ記憶部１２１を更新し、そのパラメータ記憶部１２１内の表示倍率を第１の実施の形態と同様に更新してもよい。
【００５２】
［第２の実施の形態］
次に、第２の実施の形態に係るウェブコンテンツ表示装置について、第１の実施の形態との差異を中心に説明する。ウェブコンテンツ表示装置の構成は、図１と同様であり、説明を省略する。
【００５３】
図１２に示すように、第２の実施の形態の情報蓄積部１２に含まれる表示倍率記録ファイル記憶部１２２においては、表示済みのウェブコンテンツ毎に、ＵＲＬならびに当該ウェブコンテンツを表示終了した際のパラメータ記憶部１２１の内容を示す表示倍率記録ファイルが対応づけて記憶される。図では、表示倍率記録ファイルを便宜的にそのファイル名で記載する。
【００５４】
図１３に示すように、ウェブコンテンツを表示する際の動作は、図３に対し、ステップＳ５までは同じである。
【００５５】
次に、制御部１３は、今回のＵＲＬが表示倍率記録ファイル記憶部１２２にあるか否かを判定する（Ｓ２１）。つまり、今回のウェブコンテンツが過去に表示されたか否かを判定する。
【００５６】
制御部１３は、ＵＲＬがあるなら（Ｓ２１：ＹＥＳ）、表示倍率記録ファイルの表示倍率を使用べきか否かを判定する（Ｓ２３）。
【００５７】
この判定方法としては、２つの方法が考えられる。
【００５８】
第１の方法は、今回のウェブコンテンツの解析結果と表示倍率記録ファイルに対応するウェブコンテンツの解析結果が完全一致するなら表示倍率記録ファイルの表示倍率を使用し、そうでないなら使用しないというものである。
【００５９】
ウェブコンテンツは、ＵＲＬが同じであっても要素が同じであるとは限らない。そのため、例えば、図２の要素「昨日行われた…」が異なる要素になっていることがある。この場合、完全一致はない。
【００６０】
第２の方法は、今回のウェブコンテンツの階層構造と表示倍率記録ファイルに対応するウェブコンテンツの階層構造および一部の内容が一致するなら、表示倍率記録ファイルの表示倍率を使用し、そうでないなら使用しないというものである。
【００６１】
図２の要素「昨日行われた…」が異なる要素になっていても、その１つ上の階層の要素の種類が同じ（種類ＩＤが同じ）で且つ要素が「ニュース」なら、階層構造および一部の内容が一致することとなるので、表示倍率記録ファイルの表示倍率を使用すべきと判定する。
【００６２】
いずれの方法であっても、情報処理部１４は、表示倍率記録ファイルの表示倍率を使用すべきでないと判定したなら（Ｓ２３：ＮＯ）、または、ＵＲＬがないなら（Ｓ２１：ＮＯ）各要素につき、パラメータ記憶部１２１から表示倍率を読み出す（Ｓ７）。
【００６３】
一方、情報処理部１４は、表示倍率記録ファイルの表示倍率を使用すべきと判定したなら（Ｓ２３：ＹＥＳ）、各要素につき、該当の表示倍率記録ファイルから表示倍率を読み出す（Ｓ２５）。
【００６４】
情報処理部１４は、ウェブコンテンツをＳ７またはＳ２５で読み出された表示倍率に基づいてレンダリングし、情報出力部１６（表示装置）に出力し（Ｓ９）、処理を終える。
【００６５】
本実施の形態によれば、ウェブコンテンツの要素ごとに拡大縮小率を適用し、表示倍率を変えることで、ウェブコンテンツ全体の把握が容易になる。例えば、興味のない記事（要素）や読み終わった記事（要素）を縮小できれば、ウェブコンテンツ全体の把握が容易になり、それ以外の部分（要素）が読みやすくなる。また、ユーザが読めない大きさにまで縮小することにより、それ以外の部分（要素）のみを選択的に読むことを容易にすることができる。さらに、要素ごとの表示倍率を表示倍率記録ファイルに記録しておくことで、二度目以降にアクセスしたときも、同じ表示倍率で表示、閲覧することが可能になる。
【００６６】
（変形例）
第２の実施の形態では、表示しようとするウェブコンテンツのＵＲＬに対応する表示倍率記録ファイルの表示倍率を使用できるようにしたが、このように特定のＵＲＬで限定するのでなく、複数のＵＲＬに対応するウェブコンテンツ（例えば、全ウェブコンテンツ）で表示倍率記録ファイルを共用してもよい。
【００６７】
全ウェブコンテンツで表示倍率記録ファイルを共用する場合は、ＵＲＬとの対応づけは不要となる。この場合、情報処理部１４は、表示すべきウェブコンテンツ内の各要素について、表示倍率記録ファイル記憶部１２２の表示倍率記録ファイルから表示倍率を読み出し、当該要素を当該表示倍率に応じた大きさで表示させることとなる。
【００６８】
以上のように、本実施の形態のウェブコンテンツ表示装置によれば、パラメータ記憶部の内容を表示倍率記録ファイルに記録し、表示倍率記録ファイルから表示倍率を読み出し、この表示倍率に応じた大きさで表示するので、ウェブコンテンツに対し、１度目以降にアクセスしたときも、１度目と同じ態様でウェブコンテンツを見ることができる。
【００６９】
なお、表示倍率記録ファイルの内容でパラメータ記憶部１２１を更新し、そのパラメータ記憶部１２１内の表示倍率が更新されたら、更新後のパラメータ記憶部１２１の内容でで表示倍率記録ファイルが書き換えられる。つまり、表示倍率記録ファイルは、最新のパラメータ記憶部１２１に対応するように維持される。
【００７０】
各実施の形態のウェブコンテンツ表示装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００７１】
１…ウェブコンテンツ表示装置
１１…受信部
１２…情報蓄積部
１３…制御部
１４…情報処理部
１５…情報入力部
１６…情報出力部
１２１…パラメータ記憶部
１２２…表示倍率記録ファイル記憶部
【図１】
2015106397.tif 000003
【図２】
2015106397.tif 000004
【図３】
2015106397.tif 000005
【図４】
2015106397.tif 000006
【図５】
2015106397.tif 000007
【図６】
2015106397.tif 000008
【図７】
2015106397.tif 000009
【図８】
2015106397.tif 000010
【図９】
2015106397.tif 000011
【図１０】
2015106397.tif 000012
【図１１】
2015106397.tif 000013
【図１２】
2015106397.tif 000014
【図１３】
2015106397.tif 000015